(57)【要約】      （修正有）【課題】年齢を問わず誰にでも、比較的簡単に、かつ、短時間、例えば、数時間乃至２，３日で制作することができるアレンジ盆栽用幹及びアレンジ盆栽を提供する。【解決手段】少なくとも１本の幹部１１と、該幹部１１の上端から突出する複数の突出部１２と、前記幹部１１の上端から突出し、かつ、花や葉などが付いた枝を取り付ける複数の枝取り付け部１３と、前記幹部１１の下端から突出する複数の根１４とから構成されている。【選択図】図１
0003113497.tif 000002
【実用新案登録請求の範囲】
【請求項１】
少なくとも１本の幹部と、該幹部の上端から突出する複数の突出部と、前記幹部の上端から突出し、かつ、花や葉などが付いた枝を取り付ける複数の枝取り付け部と、前記幹部の下端から突出する複数の根とから成るアレンジ盆栽用幹。
【請求項２】
芯線に第１のテープ状物を巻いて肉付けした前記突出部及び前記根用の複数の棒状体と、前記枝取り付け部用の複数の芯線とを一つに束ね、かつ、その結束部分に結束兼肉付け用の第２のテープ状物を巻いて前記幹部を形成する一方、非結束部分に肉付け用の第３のテープ状物を巻いて前記突出部と前記枝取り付け部と前記根とを形成し、更に、前記幹部と、前記突出部と、前記枝取り付け部と、前記根の表面を下地用の第４のテープで被覆して成る請求項１記載のアレンジ盆栽用幹。
【請求項３】
芯線が表面に紙テープを巻いた被覆金属線である請求項２記載のアレンジ盆栽用幹。
【請求項４】
少なくとも１本の幹部と、該幹部の上端から突出する複数の突出部と、前記幹部の上端から突出し、かつ、花や葉などが付いた枝を取り付ける複数の枝取り付け部と、前記幹部の下端から突出する複数の根とから成るアレンジ盆栽用幹を用いて作成したアレンジ盆栽であって、前記枝取り付け部に花や葉などが付いた枝部を取り付け、更に、前記根を器に盛り付けたベース部に差し込み、更に、前記幹部と、前記突出部と、前記枝取り付け部と、前記根に塗装を施して成るアレンジ盆栽。
【請求項５】
前記突出部をカットした切断部に樹脂粘土を用いて切り口を形成し、該切り口に年輪を描いて成る請求項４記載のアレンジ盆栽。
【請求項６】
前記幹部の側面に樹脂粘土を用いてコブを形成することを特徴とする請求項４記載のアレンジ盆栽。
【請求項７】
前記ベース部の表面を茶粉や水苔で装飾することを特徴とする請求項４記載のアレンジ盆栽。
【考案の詳細な説明】
【技術分野】
【０００１】
本考案は、アレンジ盆栽用幹及びアレンジ盆栽、更に詳しくは、背丈が数センチメートル乃至十数センチメートル程度の比較的背丈の低い手芸用のミニ盆栽用の幹、及びこのミニ盆栽用の幹を用いて作ったミニ盆栽に関するものである。
【背景技術】
【０００２】
従来、主として、主婦などを対象にした手芸教室などにおいて、市販の材料を用いて造花などを制作ことが行われていた。
【０００３】
しかし、従来は、造花などを制作するにしても非常に面倒であり、手間と、根気と、時間が必要であった。例えば、造花を制作する場合には、金属製の芯線に紙製のテープを巻いて茎の部分を造る一方、紙や布を裁断して造った多数の花びらにコテを当てて丸みを付け、これを一枚一枚張り合わせて蕾や花を造り、出来上がった蕾や花を茎に取り付け、更に、紙や布を裁断して造った複数の葉にコテを当てて丸みを付け、これを茎に取り付けて造花としたので、手間と、根気と、時間とを必要とし、完成までには、最低でも一週間や十日、あるいは、それ以上の日数が必要であった。
【０００４】
このような実情から、年齢を問わず、もっと楽に、かつ、簡単に造花や鉢植えの花、あるいは盆栽などが造れないかというような要望が少なくなかった。
【考案の開示】
【考案が解決しようとする課題】
【０００５】
本考案は、このような多数の要望を適えるために考案したものであり、その目的とするところは、年齢を問わず誰にでも、比較的簡単に、かつ、短時間、例えば、数時間乃至２，３日で制作することができるアレンジ盆栽用幹及びアレンジ盆栽を提供することにある。
【課題を解決するための手段】
【０００６】
上記の課題を解決するため、本考案は、次のように構成されている。
請求項１の記載に係る本発明のアレンジ盆栽用幹は、少なくとも１本の幹部と、該幹部の上端から突出する複数の突出部と、前記幹部の上端から突出し、かつ、花や葉などが付いた枝を取り付ける複数の枝取り付け部と、前記幹部の下端から突出する複数の根とから構成されている。
【０００７】
請求項２の記載に係る本発明のアレンジ盆栽用幹は、芯線に第１のテープ状物を巻いて肉付けした前記突出部及び前記根用の複数の棒状体と、前記枝取り付け部用の複数の芯線とを一つに束ね、かつ、その結束部分に結束兼肉付け用の第２のテープ状物を巻いて前記幹部を形成する一方、非結束部分に肉付け用の第３のテープ状物を巻いて前記突出部と前記枝取り付け部と前記根とを形成し、更に、前記幹部と、前記突出部と、前記枝取り付け部と、前記根の表面を下地用の第４のテープで被覆して成る請求項１記載のアレンジ盆栽用幹である。
【０００８】
請求項３の記載に係る本発明のアレンジ盆栽用幹は、芯線が表面に紙テープを巻いた被覆金属線である請求項２記載のアレンジ盆栽用幹である。
【０００９】
請求項４の記載に係る本発明のアレンジ盆栽は、少なくとも１本の幹部と、該幹部の上端から突出する複数の突出部と、前記幹部の上端から突出し、かつ、花や葉などが付いた枝を取り付ける複数の枝取り付け部と、前記幹部の下端から突出する複数の根とから成るアレンジ盆栽用幹を用いて作成したアレンジ盆栽であって、前記枝取り付け部に花や葉などが付いた枝部を取り付け、更に、前記根を器に盛り付けたベース部に差し込み、更に、前記幹部と、前記突出部と、前記枝取り付け部と、前記根に塗装を施した構造になっている。
【００１０】
請求項５の記載に係る本発明のアレンジ盆栽は、前記突出部をカットした切断部に樹脂粘土を用いて切り口を形成し、該切り口に年輪を描いて成る請求項４記載のアレンジ盆栽である。
【００１１】
請求項６の記載に係る本発明のアレンジ盆栽は、前記幹部の側面に樹脂粘土を用いてコブを形成することを特徴とする請求項４記載のアレンジ盆栽である。
【００１２】
請求項７の記載に係る本発明のアレンジ盆栽は、前記ベース部の表面を茶粉や水苔で装飾することを特徴とする請求項４記載のアレンジ盆栽である。
【考案の効果】
【００１３】
請求項１の記載に係る本発明のアレンジ盆栽用幹は、少なくとも１本の幹部と、該幹部の上端から突出する複数の突出部と、前記幹部の上端から突出し、かつ、花や葉などが付いた枝を取り付ける複数の枝取り付け部と、前記幹部の下端から突出する複数の根とから構成されているので、枝取付け部に花や葉などが付いた枝部を取り付けたり、根を器に盛り付けたベース部に差し込んだり、更に、幹部などに塗装を施すことにより、所望のアレンジ盆栽（ミニ盆栽）を比較的簡単に、かつ、短時間、例えば、数時間乃至２，３日で作成することができる。
また、このアレンジ盆栽用幹は、年齢を問わず誰にでも、簡単に作成できるうえ、その作成時間が短縮されるだけではなく、また、前記複数の突出部には、簡単に作成した花や葉などがついた枝部(一般的には「シルクフラワー」と称するもの)、または手間をかけて作成した花や葉などがついた枝部を取り付けることができる。
また、このアレンジ盆栽用幹は、前記突出部に花や葉などがついた枝部をとりつけることにより、非常に少ない部材・花材で完成させることができ、新しいフラワーアレンジメントとして簡単に仕上げることができ、出来上がったものはフラワーインテリアとなる。
【００１４】
請求項２の記載に係る本発明のアレンジ盆栽用幹は、芯線に第１のテープ状物を巻いて肉付けした前記突出部及び前記根用の複数の棒状体と、前記枝取り付け部用の複数の芯線とを一つに束ね、かつ、その結束部分に結束兼肉付け用の第２のテープ状物を巻いて前記幹部を形成する一方、非結束部分に肉付け用の第３のテープ状物を巻いて前記突出部と前記枝取り付け部と前記根とを形成し、更に、前記幹部と、前記突出部と、前記枝取り付け部と、前記根の表面を下地用の第４のテープで被覆したので、軽量でありながら、頑丈で、かつ、容易に破損しないものとなった。
【００１５】
また、枝取り付け部に花や葉などが付いた枝部を取り付けたり、根を器に盛り付けたベース部に差し込んだり、更に、幹部などに塗装を施すことにより、所望のアレンジ盆栽を比較的簡単に、かつ、短時間、例えば、数時間乃至２，３日で制作することができる。
【００１６】
請求項３の記載に係る本発明のアレンジ盆栽用幹は、芯線が表面に紙テープを巻いた被覆金属線であるから、その外側に肉付け用のテープ状物を簡単に糊付けできる。
【００１７】
請求項４の記載に係る本発明のアレンジ盆栽は、少なくとも１本の幹部と、該幹部の上端から突出する複数の突出部と、前記幹部の上端から突出し、かつ、花や葉などが付いた枝を取り付ける複数の枝取り付け部と、前記幹部の下端から突出する複数の根とから成るアレンジ盆栽用幹を用いて作成したアレンジ盆栽であって、前記枝取り付け部に花や葉などが付いた枝部を取り付け、更に、前記根を器に盛り付けたベース部に差し込み、更に、前記幹部と、前記突出部と、前記枝取り付け部と、前記根に塗装を施した構造になっているので、十分に鑑賞に耐えることができる。また、軽量でありながら、頑丈であり、容易に破損することがない。
また、本考案の盆栽は、通常の切花（造花。簡単なものも、手の込んだものも含む。）に根をつけることで、切花が土に帰って再び植生されたようなイメージを発現することができる。
【００１８】
請求項５の記載に係る本発明のアレンジ盆栽は、前記突出部をカットした切断部に樹脂粘土を用いて切り口を形成し、該切り口に年輪を描いたので、請求項４に記載した効果のほか、更に本物らしくなるという効果がある。
【００１９】
請求項６の記載に係る本発明のアレンジ盆栽は、前記幹部の側面に樹脂粘土を用いてコブを形成したので、請求項４及び５に記載した効果のほか、更に本物らしくなるという効果がある。
【００２０】
請求項７の記載に係る本発明のアレンジ盆栽は、前記ベース部の表面を茶粉及び水苔で装飾したので、請求項４乃至６に記載した効果のほか、更に本物らしくなるという効果がある。
【考案を実施するための最良の形態】
【００２１】
以下、本考案の実施の形態を図面を用いて説明する。
図１は、本考案に係るアレンジ盆栽用幹の一部断面を含む側面図であり、図２は、図１のＸ−Ｘ断面図である。
【００２２】
図１に示すように、このアレンジ盆栽用の幹１０は、１本の太い幹部１１と、幹部１１の上端から上方に突出し、かつ、幹部１１よりも細い複数本（図では、３本）の突出部１２と、幹部１１の上端から上方に突出し、かつ、突出部１２よりも細い複数本（図では、２本）の枝取り付け部１３と、幹部１１の下端から下方に突出し、かつ、突出部１２とほぼ同じ太さの複数本（図では、３本）の根１４とから構成されている。ここで、幹部１１は、複数本でもよい。
【００２３】
更に詳しく説明すると、このアレンジ盆栽用の幹１０は、図１及び図２に示すように、芯線２０に第１のテープ状物２１を巻いて肉付けした突出部及び根用の３本の棒状体２２と、枝取り付け部用の２本の芯線２３とを一つに束ね、かつ、その結束部分に結束兼肉付け用の第２のテープ状物２４を巻いて幹部１１を形成する一方、非結束部分に肉付け用の第３のテープ状物２５を巻いて突出部１２と枝取り付け部１３と根１４とを形成し、更に、幹部１１と、突出部１２と、枝取り付け部１２と、根１４の表面を下地用の第４のテープ２６で被覆したものである。
【００２４】
その上、このアレンジ盆栽用の幹１０は、幹部１１の上端から突出している３本の棒状体２２の上端を三叉状に分岐させて３本の突出部１２とする一方、幹部１１の下端から突出している３本の棒状体２２の下端を三叉状に分岐させて３本の根１４としている。また、幹部１１の上方から２本の枝取り付け部１３を突出させている。
【００２５】
ここで、第１及び第４のテープ状物としては、幅が２．４ｃｍ〜３．６ｃｍ程度の紙製のテープが好ましい。また、第２及び第３のテープ状物としては、紙製のテープでも良いが、例えば、幅が２ｃｍ程度のダブルシート貼りミラーシートが好ましい。
また、棒状体用の芯線２０には、通常、♯１８番手の針金（クラフトワイヤー）を使用するが、所望により♯１４番手〜♯２０番手の針金（クラフトワイヤー）を適用してもよい。♯２０番手を超える場合は、芯線としての腰が弱く、一方、♯１４番手未満の場合は、腰が強くて取り扱い難くなる。
【００２６】
また、枝取り付け部用の芯線２３としては、♯１８番手の針金（ワイヤー）を使用するが、所望により♯１８番手〜♯２４番手の針金（ワイヤー）を適用してもよい。
また、芯線２０，２３としては、表面に紙テープを巻いた被覆金属線が好ましい。それは、肉付け用の紙製テープを糊付けし易いからである。
【００２７】
次に、本発明のアレンジ盆栽について説明する。
本発明のアレンジ盆栽３０は、既に詳しく説明したアレンジ盆栽用の幹１０を用いて作成したものであり、枝取り付け部１３に花や葉などが付いた枝部４０を取り付け、更に、根１４を器３１に盛り付けたベース部３２に差し込み、更に、幹部１０などに塗装を施したものである（図３参照。）。
【００２８】
また、突出部１２をカットした切断部（図示せず）に樹脂粘土を用いて切り口４１を形成し、該切り口に年輪（図示せず）を描いている。また、幹部１１の側面に樹脂粘土を用いてコブ４２を形成している。更に、ベース部３２の表面を茶粉及び水苔３３で装飾している。
【００２９】
次に、上記アレンジ盆栽の作成方法について説明する。
（１）先ず、図４に示すように、アレンジしたいアレンジフラワーの中心枝４３を残し、それ以外の枝４４を好みでカットする。
【００３０】
（２）次に、幹１０の枝取り付け部１３に（１）でカットした枝４３を固定する（図５参照）。なお、所望により、（１）でカットした枝４３を突出部１２に固定しても良い。枝４３は、♯２８〜♯３０番手の地巻ワイヤー４５で枝取り付け部１３に固縛する。その際、１本の枝毎に２〜３箇所、動かないように固定する。
なお、枝４３の固定は、幹１０をベース部３２に固定した後でもよい。
【００３１】
（３）次に、図６に示すように、紙テープ４６に木工用のボンド（接着剤）４７を付けて幹１０に巻き付ける。その際、枝から根に向かって幹が太くなるように紙テープを巻き付ける。
【００３２】
（４）次に、図７に示すように、幹１０に切り口４１及びコブ４２を形成する。
切り口４１は、次の手順で形成する。
（ａ）先ず、樹脂粘土で直径１ｃｍのボールを形成する。
（ｂ）幹１０の突出部１２を、適宜、カットし、その切断部にボンドを塗り、そこに、（ａ）のボールを挿す。
（ｃ）親指と人指し指を水で濡らし、樹脂粘土を摘むようにして切り口を作る。
（ｄ）幹１０の突出部１２と樹脂粘土を馴染ませる。
（ｅ）切り口４１に竹串などで年輪用の渦（図示せず）を描く。
【００３３】
他方、コブ４２は、次の手順で形成する。
（ａ）樹脂粘土で直径１ｃｍのボールを作る。
（ｂ）コブを作りたい幹１０の側面にボンドを付け、（ａ）の樹脂粘土を貼りつける。
（ｃ）樹脂粘土で棒を作り、（ｂ）を囲むように載せる。
（ｄ）指に水を付け、（ｃ）の棒を幹１０に馴染ませる。
【００３４】
（５）次に、ベース部３２を、次の手順で作る（図８参照。）。
（ａ）器３１にボンドを塗り、その上に油粘土（図示せず）を薄く敷く。
（ｂ）器３１に発泡ポリスチレン製フィルム（商品名；スタイロフォーム）３４をカットして入れる。
（ｃ）スタイロフォーム３４にボンド３５を塗った後、スタイロフォーム３４の上に載せた油粘土３６を器３１の形に伸ばす。その際、中央が山高になるようにする。
【００３５】
（６）次に、図９に示すように、ベース部３２に幹１０を差し込む。
（７）次に、図１０に示すように、幹１０などを塗装する。なお、この塗装は、幹１０をベース部３２に差し込む前でもよい。
（ａ）コブ４２や切り口４１は、染料で茶色に塗る。
（ｂ）幹１０にペースト液を塗る。その際、ペースト液にドライ深山土、染料（茶＋オリーブグリーン）を入れて混ぜる。深山土を入れると、ブツブツした木の感じがする。
（ｃ）ベース部３２に茶粉、水苔を載せて乾燥させ、枝ぶりを整えてアレンジすれば、図３のアレンジ盆栽３０が出来上がる。
【００３６】
以上の本考案のアレンジ盆栽は、幹１０が盆栽を形成するベース部３２に固定され、かつ花や葉が付いた枝部４３が突出部１３に固定されていればよく、その取り付け順序には制約されないものである。
また、幹１０には、粘土を塗りつけることにより、木や幹部分に凹凸をつけて、よりリアルに古木調のリアル感を出すことができる。
また、幹１０には、幹としての風合いを増すために、木工ボンドや木屑、花の付いていないワイヤー（幹）などを足すことにより、同じようなリアル感を出すことができる。
【図面の簡単な説明】
【００３７】
【図１】本発明に係るアレンジ盆栽用幹の一部断面を含む側面図である。
【図２】図１のＸ−Ｘ断面図である。
【図３】本発明に係るアレンジ盆栽の一部断面を含む側面図である。
【図４】アレンジフラワーのアレンジの仕方を示す説明図である。
【図５】アレンジした枝を幹に取り付ける方法を示す説明図である。
【図６】幹に紙テープを巻き付ける方法を示す説明図である。
【図７】幹にコブや切り口を設ける方法を示す説明図である。
【図８】器にベース部を設ける方法を示す説明図である。
【図９】幹をベース部に差し込んだ説明図である。
【図１０】幹などにペーストを塗る説明図である。
【符号の説明】
【００３８】
１１  幹部
１２  突出部
１３  枝取り付け部
１４  根
４０  花や葉などが付いた枝
【図１】
0003113497.tif 000003
【図２】
0003113497.tif 000004
【図３】
0003113497.tif 000005
【図４】
0003113497.tif 000006
【図５】
0003113497.tif 000007
【図６】
0003113497.tif 000008
【図７】
0003113497.tif 000009
【図８】
0003113497.tif 000010
【図９】
0003113497.tif 000011
【図１０】
0003113497.tif 000012